(57)【要約】【課題】  立体感がある表示装置を提供する。【解決手段】  発光素子１０は、照明光Ｌを発する。ケース体２０は、照明光Ｌを遮る複数の遮光壁２１を有する。透光性表示部材３０は、照明光Ｌが透過する凹面状の表示部３１を有する。遮光部材５０は、表示部３１を透過した照明光Ｌが通過する窓部５３を有する。透光性表示部材３０は、照明光Ｌを表示部３１に反射させる反射面３２を有する。ケース体２０は、透光性表示部材３０を貫通する突出部２１ａを有する。着色部材７０は、透光性表示部材３０の後面側に配設され、発光素子１０が発した照明光Ｌの色を変換する。【選択図】  図４
2013200442.tif 000002
【特許請求の範囲】
【請求項１】
照明光を発する複数の発光素子と、前記照明光を遮る複数の遮光壁を有するケース体と、前記照明光が透過する凹面状の表示部を有する透光性表示部材と、前記表示部を透過した前記照明光が通過する窓部を有する遮光部材と、を備えたことを特徴とする表示装置。
【請求項２】
前記透光性表示部材は、前記照明光を前記表示部に反射させる反射面を有することを特徴とする請求項１に記載の表示装置。
【請求項３】
前記透光性表示部材の後面側に配設され、前記発光素子が発した前記照明光の色を変換する着色部材を備えたことを特徴とする請求項１に記載の表示装置。
【請求項４】
前記ケース体は、前記透光性表示部材を貫通する突出部を有することを特徴とする請求項１に記載の表示装置。
【発明の詳細な説明】
【技術分野】
【０００１】
本発明は、複数の表示セグメントを有する表示装置に関するものである。
【背景技術】
【０００２】
従来より、車両情報を表示する車両用表示装置が種々提案されており、例えば特許文献１に開示されている。斯かる車両用表示装置は、車両情報をデジタル的に表示する表示盤を備え、この表示板に表示セグメントを有する複数の導光体と、表示セグメントに夫々独立して照明光を照射可能な複数の光源とを有している。
【先行技術文献】
【特許文献】
【０００３】
【特許文献１】特開２００５−７０５００号公報
【発明の概要】
【発明が解決しようとする課題】
【０００４】
しかしながら、単一の表示セグメント内に導光体を配置し、この導光体を単一の発光ダイオードによって光輝させるため、発光色が単色となり、立体感がなく、装飾性が低いという問題を有していた。
本発明は、この問題に鑑みなされたものであり、立体感がある表示装置を提供するものである。
【課題を解決するための手段】
【０００５】
本発明は、請求項１に記載したように、照明光Ｌを発する複数の発光素子１０と、前記照明光Ｌを遮る複数の遮光壁２１を有するケース体２０と、前記照明光Ｌが透過する凹面状の表示部３１を有する透光性表示部材３０と、前記表示部３１を透過した前記照明光Ｌが通過する窓部５３を有する遮光部材５０と、を備えたものである。
【０００６】
また、本発明は、請求項２に記載したように、前記透光性表示部材３０は、前記照明光Ｌを前記表示部３１に反射させる反射面３２を有するものである。
【０００７】
また、本発明は、請求項３に記載したように、前記透光性表示部材３０の後面側に配設され、前記発光素子１０が発した前記照明光Ｌの色を変換する着色部材７０を備えたものである。
【０００８】
また、本発明は、請求項４に記載したように、前記ケース体２０は、前記透光性表示部材３０を貫通する突出部２１ａを有するものである。
【発明の効果】
【０００９】
透光性表示部材の表示部が凹面状になっているため、立体感がある表示が可能になる。
【図面の簡単な説明】
【００１０】
【図１】本発明の第一実施形態を示す正面図。
【図２】同上実施形態を示す断面図。
【図３】同上実施形態を示す断面図。
【図４】同上実施形態を示す要部拡大断面図。
【図５】本発明の第二実施形態を示す要部拡大断面図。
【発明を実施するための形態】
【００１１】
以下、添付図面に基づいて、本発明を車両用表示装置に適用した一実施形態を説明する。図１乃至図４は、第一実施形態を示すものである。
【００１２】
車両用表示装置は、発光ダイオード（発光素子）１０，ケース体２０，透光性表示部材３０，光拡散シート（光拡散部材）４０，遮光部材５０，回路基板６０を備えている。
【００１３】
発光ダイオード１０は、トップビュー型のＬＥＤ（Light Emitting Diode）からなるものであり、回路基板６０の前面に搭載されている。発光ダイオード１０は、例えば白色の照明光Ｌを発するものである。発光ダイオード１０は、各表示セグメントＳに対応して１個ずつ配設されており、個別にオン／オフが可能になっている。
【００１４】
ケース体２０は、白色の樹脂からなるものであり、複数の遮光壁２１を有している。ケース体２０の遮光壁２１は、各発光ダイオード１０を仕切り、照明光Ｌを遮るものである。ケース体２０の遮光壁２１には突出部２１ａが形成されており、この突出部２１ａは光拡散シート４０及び透光性表示部材３０を貫通している。ケース体２０の遮光壁２１の後端は、回路基板６０に当接している。ケース体２０の遮光壁２１によって、透光性表示部材３０の各穴部３１を個別に照明可能な照明室２３が形成されている。
【００１５】
透光性表示部材３０は、透光性樹脂からなるものであり、凹面状の穴部（表示部）３１と、反射面３２とを有している。透光性表示部材３０の孔部３１は、表示セグメントＳに対応して形成されている。反射面３２は、透光性表示部材３０の前面の一部であり、透光性表示部材３０の後面３０ａに対して所定角度を有して傾斜している。
【００１６】
透光性表示部材３０の穴部３１の後側には、発光ダイオード１０が配設されており、穴部３１は発光ダイオード１０が発した照明光により透過照明される。透光性表示部材３０にはスリット３０ｂが形成されており、このスリット３０ｂに遮光壁２１の突出部２１ａが挿通されている。透光性表示部材３０の孔部３１は、遮光壁２１の突出部２１ａによって区画されている。
【００１７】
透光性表示部材３０の穴部３１は、透光性表示部材３０の後面３０ａから凹んだ形状になっており、垂直面３１ａ，傾斜面３１ｂ，平行面３１ｃを有している。穴部３１の垂直面３１ａは、透光性表示部材３０の後面３０ａに対して略垂直になっている。穴部３１の傾斜面３１ｂは、透光性表示部材３０の後面３０ａに対して所定角度を有して傾斜しており、垂直面３１ａ及び平行面３１ｃに連なっている。穴部３１の傾斜面３１ｂは、反射面３２に対向しており、反射面３２と略平行になっている。穴部３１の平行面３１ｃは、透光性表示部材３０の後面３０ａと平行になっている。
【００１８】
光拡散シート４０は、平板形状になっており、透光性表示部材３０の後面３０ａに配設されている。光拡散シート４０は、発光ダイオード１０が発した照明光Ｌを拡散させる。光拡散シート４０には、突出部２１ａが貫通するスリット４０ａが形成されている。
【００１９】
遮光部材５０は、透光性基板５１の前面に黒色の遮光層５２を形成したものであり、この遮光層５２の開口が窓部５３になっている。遮光部材５０は、透光性表示部材３０の前面に配設されている。遮光部材５０の遮光層５２によって、透光性表示部材３０の反射面３２は視認されない。窓部５３の幅Ｗ２は、穴部３１の幅Ｗ１に略等しくなっている。遮光部材５０の窓部５３は、透光性表示部材３０の穴部３１に対応するように、日字形に配置されている。回路基板６０は、平板状のガラスエポキシ系基材に配線パターンを形成した硬質プリント基板からなる。
【００２０】
発光ダイオード１０が発した照明光Ｌは、穴部３１の平行面３１ｃ，傾斜面３１ｂを透過したり、反射面３２により反射された照明光Ｌが傾斜面３１ｂで更に反射されたりして、遮光部材５０の窓部５３を透過する。これにより、穴部３１の平行面３１ｃと傾斜面３１ｂとでは、輝度が若干異なり、穴部３１が立体的に視認される。
【００２１】
図５は、第二実施形態を示すものである。第二実施形態は、着色シート７０のみが第一実施形態と異なり、他の構成は第一実施形態と同様である。つまり、第二実施形態は、光拡散シート４０に代えて、着色シート７０を配設したものである。
【００２２】
着色シート７０は、透光性の基材７１に着色層７２を形成したものである。着色シート７０の着色層７２は、緑色の印刷層からなるものであり、基材７１の前面に形成されている。着色シート７０の着色層７２は、透光性表示部材３０の穴部３１に対応する開口７２ａを有している。発光ダイオード１０が発した白色の照明光Ｌは、着色層７２によって緑色に変換され、反射面３２に照射される。透光性表示部材３０の反射面３２に照射された照明光は、反射面３２で反射され、穴部３１の傾斜面３１ｂに照射され、緑色で視認される。
【００２３】
なお、本発明は、第一，第二実施形態に限定されるものではなく、種々の変形が可能である。例えば、本実施形態では、各表示セグメントＳに１個ずつの発光ダイオード１０が配設されているが、各表示セグメントＳに２個以上の発光ダイオード１０を配設しても良い。また、第二実施形態における着色層７２は基材７１の前面に設けたものであるが、例えば、透光性表示部材３０の後面３０ａに形成しても良い。
【符号の説明】
【００２４】
１０    発光ダイオード（発光素子）
２０    ケース体
２１    遮光壁
２１ａ  突出部
３０    透光性表示部材
３１    穴部（表示部）
４０    光拡散シート（光拡散部材）
５０    遮光部材
５３    窓部
６０    回路基板
７０    着色シート（着色部材）
【図１】
2013200442.tif 000003
【図２】
2013200442.tif 000004
【図３】
2013200442.tif 000005
【図４】
2013200442.tif 000006
【図５】
2013200442.tif 000007